(57)【特許請求の範囲】
【請求項１】
磁石に感応して作動するテストスイッチからのテスト信号で遮断弁を強制的に遮断すると共に所定の条件下で復帰信号が入力されない場合にマイクロコンピュータを休止状態にするテスト遮断機能を有するガス遮断装置であって、
前記テストスイッチからのＯＮ／ＯＦＦ信号で前記テスト遮断機能の設定または解除を指示するテスト遮断バイパス部を有したマイクロコンピュータの内部データ設定部と、前記テストスイッチからテスト信号が入力されたとき前記テスト遮断バイパス部の指示に応じて通常モードとテスト遮断モードを判定する制御部と、前記制御部からの信号で遮断弁を制御する遮断弁制御部と、前記遮断弁の復帰信号を入力する復帰スイッチとを備え、
前記テストスイッチからのテスト信号と前記復帰スイッチによる特定の遮断弁復帰動作の組み合わせで前記テスト遮断機能を解除するテスト遮断機能解除手段を設け、
前記テスト遮断機能解除手段は、前記テストスイッチからテスト信号が入力されたのち所定時間内に前記遮断弁復帰動作が実行されたとき、テスト遮断機能を解除して通常モードに復帰するようにしたガス遮断装置。
【請求項２】
テスト遮断機能の設定または解除の指示を電話回線により行う通信機能部を備えた請求項１記載のガス遮断装置。
【発明の詳細な説明】
【０００１】
【発明の属する技術分野】
本発明は、ガス使用上の安全を図るガス遮断装置に関するものである。
【０００２】
【従来の技術】
従来、この種のガス遮断装置は、図４に示すように発光ダイオード１とテストスイッチ２を用いて設定・解除されるマイクロコンピュータ３内の内部データ設定部４と、テストスイッチ２から送られるテスト信号によりテスト遮断を判定する制御部６と、制御部６より送られる信号により遮断弁７を制御する遮断弁制御部８、遮断弁制御部８から送られる信号によりガス通路を遮断する遮断弁７と、マイクロコンピュータ３に復帰信号を送り、且つ遮断した遮断弁７を回栓する復帰スイッチ９からなっている。
【０００３】
又、図５において、従来のガス遮断装置の動作を説明する。ガス消費者が通常ガスを使用している状態を通常モードと呼ぶ。通常モードにおいて、テスト遮断がＯＦＦの時は通常モードのままで、ＯＮされると遮断弁を遮断し、４０秒以内の遮断弁復帰がＹＥＳならば通常モードになり、ＮＯならばマイコンが休止し、マイコンが休止した後、テストスイッチがＯＦＦならばマイコン休止のままで、テストスイッチがＯＮで４０秒以内の遮断弁復帰がＹＥＳならば通常モードになり、ＮＯならばマイコン休止のままである。
【０００４】
【発明が解決しようとする課題】
しかしながら、このようなガス遮断装置は、いたずら等により磁石がテストスイッチに近づくとテスト遮断となり、４０秒後にテスト遮断中モードとなってしまう。
【０００５】
テスト遮断中モードでは、テスト遮断４０秒後以降はマイクロコンピュータが休止してしまうので、遮断弁の復帰信号を受け付けない。よって、遮断弁を復帰しても遮断中モードのままである。
【０００６】
ガス遮断装置ではガス使用上の安全性を確保するため、テスト遮断を含む遮断中モード時は遮断弁を復帰してもガスが流れる度に遮断弁を遮断させる仕様となっている。
【０００７】
又、テスト遮断中モードを解除するためには、再度磁石をテストスイッチに近づけた後、遮断弁を復帰する作業が必要となり、一般のガス消費者には作業できない。
【０００８】
したがって、テスト遮断を行うとガスを使用できなくなってしまう。
【０００９】
本発明は、上記従来の課題を解決するもので、いたずら等によるテスト遮断を防止する機能を備えたガス遮断装置を提供することを目的とする。
【００１０】
【課題を解決するための手段】
上記課題を解決するための第１の手段は、磁石に感応して作動するテストスイッチからのテスト信号で遮断弁を強制的に遮断すると共に所定の条件下で復帰信号が入力されない場合にマイクロコンピュータを休止状態にするテスト遮断機能を有するガス遮断装置であって、前記テストスイッチからのＯＮ／ＯＦＦ信号で前記テスト遮断機能の設定または解除を指示するテスト遮断バイパス部を有したマイクロコンピュータの内部データ設定部と、前記テストスイッチからテスト信号が入力されたとき前記テスト遮断バイパス部の指示に応じて通常モードとテスト遮断モードを判定する制御部と、前記制御部からの信号で遮断弁を制御する遮断弁制御部と、前記遮断弁の復帰信号を入力する復帰スイッチとを備え、前記テストスイッチからのテスト信号と前記復帰スイッチによる特定の遮断弁復帰動作の組み合わせで前記テスト遮断機能を解除するテスト遮断機能解除手段を設け、前記テスト遮断機能解除手段は、前記テストスイッチからテスト信号が入力されたのち所定時間内に前記遮断弁復帰動作が実行されたとき、テスト遮断機能を解除して通常モードに復帰するようにしたものである。
【００１１】
本発明によれば、いたずら等によるガス消費者におけるガス使用上の不具合を低減することができる。
【００１２】
【発明の実施の形態】
第１の手段は、磁石に感応して作動するテストスイッチからのテスト信号で遮断弁を強制的に遮断すると共に所定の条件下で復帰信号が入力されない場合にマイクロコンピュータを休止状態にするテスト遮断機能を有するガス遮断装置であって、前記テストスイッチからのＯＮ／ＯＦＦ信号で前記テスト遮断機能の設定または解除を指示するテスト遮断バイパス部を有したマイクロコンピュータの内部データ設定部と、前記テストスイッチからテスト信号が入力されたとき前記テスト遮断バイパス部の指示に応じて通常モードとテスト遮断モードを判定する制御部と、前記制御部からの信号で遮断弁を制御する遮断弁制御部と、前記遮断弁の復帰信号を入力する復帰スイッチとを備え、前記テストスイッチからのテスト信号と前記復帰スイッチによる特定の遮断弁復帰動作の組み合わせで前記テスト遮断機能を解除するテスト遮断機能解除手段を設け、前記テスト遮断機能解除手段は、前記テストスイッチからテスト信号が入力されたのち所定時間内に前記遮断弁復帰動作が実行されたとき、テスト遮断機能を解除して通常モードに復帰するようにしたものである。
【００１３】
そして、テスト遮断機能を、ガス事業者から電話回線を使用して設定することにより解除する機能を有するものである。
【００１４】
【実施例】
以下本発明の実施例について図面を用いて説明する。
【００１５】
（実施例１）
本発明の実施例１のガス遮断装置を図１，図２を用いて説明する。
【００１６】
図１において、本発明をブロック図を用いて説明する。発光ダイオード１とテストスイッチ２のＯＮ／ＯＦＦ信号を用いて自由に何度でも設定・解除されるマイクロコンピュータ３内の内部データ設定部４と、内部データ設定部４のテスト遮断バイパス部５と、遮断機能バイパス部５と、テストスイッチ２から送られるテスト信号によりテスト遮断の有無を判定する制御部６と、制御部６より送られる信号により遮断弁７を制御する遮断弁制御部８、この遮断弁制御部８から送られる信号によりガス通路を遮断する遮断弁７と、マイクロコンピュータ３に復帰信号を送り、且つ遮断した遮断弁７を回栓する復帰スイッチ９からなっている。
【００１７】
次に、図２を用いて、上記本発明の動作を説明する。
【００１８】
ガス消費者が通常ガスを使用している状態を通常モードと呼ぶ。通常モードにおいて、テスト遮断がＯＦＦの時は通常モードのままで、ＯＮされるとテスト遮断機能バイパスが、ＹＥＳであれば通常モードのままで、ＮＯならば遮断弁を遮断し、４０秒以内の遮断弁復帰がＹＥＳならば通常モードになり、ＮＯならばマイコンが休止し、マイコンが休止した後、テストスイッチがＯＦＦならばマイコン休止のままで、テストスイッチがＯＮで４０秒以内の遮断弁復帰がＹＥＳならば通常モードになり、ＮＯならばマイコン休止のままである。
【００１９】
（実施例２）
本発明の実施例２のガス遮断装置を図３を用いて説明する。なお、前述の実施例１と同一の内容についての説明は、はぶくものとする。
【００２０】
図３において、電話回線を用いガス事業者から設定・解除できる通信機能部１０を備えたものである。
【００２１】
【発明の効果】
以上の説明から明らかのように本発明のガス遮断装置によれば次の効果を奏する。
【００２２】
テスト遮断機能を解除できるようにしたことによりいたずら等により、テストスイッチがＯＮしてもテスト遮断中モードにならないため、ガス消費者におけるガス使用上の不具合を低減できると共に、さらには、例えばガス事業者の現場への出動を低減することができる。又、テスト遮断を実施する場合は、内部データの設定を解除すればよいだけで、利便性を損なうこともない。
【００２３】
また、テスト遮断機能の解除は電話回線によって行なうことができるので工数を低減することができる。
【図面の簡単な説明】
【図１】  本発明の実施例１のガス遮断装置を示す機能ブロック図
【図２】  同装置の動作を説明するフローチャート
【図３】  本発明の実施例２のガス遮断装置を示す機能ブロック図
【図４】  従来のガス遮断装置を示す機能ブロック図
【図５】  同装置の動作を説明するフローチャート
【符号の説明】
１  発光ダイオード
２  テストスイッチ
３  マイクロコンピュータ
４  内部データ設定部
５  テスト遮断バイパス部
６  制御部
７  遮断弁
８  遮断弁制御部
９  復帰スイッチ
１０  通信機能部
【図１】
0004061703.tif 000002
【図２】
0004061703.tif 000003
【図３】
0004061703.tif 000004
【図４】
0004061703.tif 000005
【図５】
0004061703.tif 000006